(57)【特許請求の範囲】
【請求項１】
処理液タンク内の処理液中に、感光材料の移動を案内するラックを浸漬するようにした自動現像機におけるラックの固定構造であって、
処理液タンクに係合部を設け、ラックには前記係合部に係合して処理液タンク内からのラックの離脱を阻止するロック体を設け、このロック体を、前記係合部に係合する位置と該係合部から離脱する位置とに位置変更可能とすると共に、該ロック体を付勢手段を介して前記係合部と係合する方向に付勢させ、またラックの上端部に把手を設けると共に、前記ラックの上端部で且つ把手の近傍に、前記付勢手段の付勢力に抗して前記ロック体の係合部への係合を解除するための操作部を設け、ロック体と前記係合部の少なくとも一方に、ラックの処理液タンク内への収納時、ロック体を係合部から離脱する方向に位置変更させてロック体の係合部への係合を案内する案内部を設けていることを特徴とする自動現像機におけるラックの固定構造。
【請求項２】
処理液タンクに一対の係合部を設けると共に、ラックには前記各係合部に対応する一対のロック体を設けて、これらロック体を連動部材を介して連動させている請求項１または２記載の自動現像機におけるラックの固定構造。
【発明の詳細な説明】
【０００１】
【発明の属する技術分野】
本発明は、写真フィルムや印画紙等の感光材料を現像処理する自動現像機において、該自動現像機の処理液タンクに内装して感光材料の移動を案内するラックの固定構造に関する。
【０００２】
【従来の技術】
一般に写真フィルムや印画紙等の感光材料を現像処理する自動現像機にあっては、現像液や定着液等の各種現像処理液を、複数の処理液タンク内に個別に充填して、これら各処理液タンク内にそれぞれラックを浸漬させているが、このラックのタンク内での設置位置が狂うと、ラック内を通過させる感光材料が詰まったり或いは搬送出来なくなる不具合がある。
【０００３】
そこで従来では、例えば実開平２−２７１４３号公報に示されているように、処理液タンクの上部にロックプレートを移動自在に支持して、処理液タンク内へのラックの挿入に伴い、該ラックに突設したピンの端部を、前記ロックプレートに形成した切欠に挿通し、しかる後、ロックプレートを移動させて、該ロックプレートを前記ピンに係合させることで、該ロックプレートを介して複数のラックを同時に固定するようにしている。
【０００４】
【発明が解決しようとする課題】
ところで以上のラックは、通常体積が大きくて浮力を備えていることから、このラックを処理液タンク内の処理液中に沈めようとしても浮き上がってくることがあり、そのため前述の固定構造のものでは、片方の手でラックを下方に押し込んで、ラックの浮き上がりを防止しながら、更にもう一方の手でロックプレートを操作する必要があり、全体としてラックの固定に手間がかかる問題がある。
【０００５】
また以上の固定構造のものでは、例えば自動現像機の保守点検時において、処理液タンク内の複数のラックの一つだけを取り出したい場合でも、ストッパプレートによるラックの固定の解除操作に伴い、処理液タンク内の全てのラックの固定が解除されてしまって、各ラックが不用意に浮き上がることから、再度各ラック毎に固定作業が必要となる不具合もある。
【０００６】
本発明は以上の実情に鑑みて開発したものであって、目的とするところは、処理液タンクに対するラックの固定及び固定解除がワンタッチで行え、しかも処理液タンクに対するラックの固定解除が個別に行える自動現像機におけるラックの固定構造を提供するにある。
【０００７】
【課題を解決するための手段】
以上の目的を達成するために請求項１記載の発明は、処理液タンク内の処理液中に、感光材料の移動を案内するラックを浸漬するようにした自動現像機において、処理液タンクに係合部を設け、ラックには前記係合部に係合して処理液タンク内からのラックの離脱を阻止するロック体を設け、このロック体を、前記係合部に係合する位置と該係合部から離脱する位置とに位置変更可能とすると共に、該ロック体を付勢手段を介して前記係合部と係合する方向に付勢させ、またラックの上端部に把手を設けると共に、前記ラックの上端部で且つ把手の近傍に、前記付勢手段の付勢力に抗して前記ロック体の係合部への係合を解除するための操作部を設け、ロック体と前記係合部の少なくとも一方に、ラックの処理液タンク内への収納時、ロック体を係合部から離脱する方向に位置変更させてロック体の係合部への係合を案内する案内部を設けていることを特徴とする。
【０００８】
また請求項２記載の発明は、請求項１に記載のラックの固定構造において、処理液タンクに一対の係合部を設けると共に、ラックには、前記各係合部に対応する一対のロック体を設けて、これらロック体を連動部材を介して連動させたのである。
【０００９】
【発明の実施の形態】
以下、本発明を図面に基づいて説明する。先ず図５は、本発明を適用する現像処理機を概略的に示したものであって、現像処理機の機体Ａに、上端が開口する複数の処理液タンク１を併設して、これら処理液タンク１内に現像液、定着液、安定化液等の各種現像処理液を個別に充填すると共に、これら各タンク１内には、前記現像処理液中における感光材料の移動を案内するためのラック２を浸漬させるようにしている。
【００１０】
このラック２は、既知の通り、縦長とした略箱型に形成されて、その前後両側壁の外側方には、複数の搬送ローラ２ａを回転自由に取り付けて成るものである。尚、図５においてＢは感光材料の乾燥部を示す。本発明は以上のラック２を処理液タンク１内に固定するための固定構造に関するものであって、次にこの固定構造を詳説する。
（実施形態１）まず図１〜図４に示す実施形態において、各ラック２の上端部には、正面視略逆Ｕ字状に突出する把手３を一体形成する一方、該ラック２の側部で前記把手３の側方と対向する位置には、処理液タンク１内へのラック２の挿入方向とほぼ直交する方向に移動自由とするロック体４を設けている。
【００１１】
具体的には、図４に示すように、ラック２の側壁上端部に、左右方向に延びて一端が該ラック２の側面に開口する収容室２１を形成して、該収容室２１に後記するロック体４を、処理液タンク１内へのラック２の挿入方向とほぼ直交する方向、即ち図４において左右方向に移動自由に遊挿し、該ロック体４の一端部を収容室２１の開口を介してラック２の側面外方に突出可能としている。
【００１２】
そして収納室２１には付勢手段としてのコイルスプリング５を内装し、該コイルスプリング５のばね反力により、ロック体４の一端部が収容室２１の開口からラック２の側面外方に突出する方向、即ち図４において左方向にロック体４を付勢させている。また図に示す実施形態において、ラック２には前記収納室２１をラック２の上面上方に開口させる貫通孔２２を形成する一方、ロック体４の他端には、該ロック体４から上方に突出する板状の操作部４１を一体形成して、該操作部４１の上端部を前記貫通孔２２を介してラック２の上方に突出させ、この操作部４１の操作により、ロック体４をコイルスプリング５のばね反力に抗する方向、即ち図４において右方向に移動可能としている。
【００１３】
一方、各処理液タンク１の上部内側面には、ロック体４が係合して、ラック２の処理液タンク１内からの離脱を阻止する係合部６と、ロック体４をコイルスプリング５に抗して移動させて前記係合部６への係合を案内する傾斜状のガイド面７１を有する案内部７とを備えた突起８を突設している。
具体的には、図３に示すように、前記案内部７は、上下方向に延びる縦リブから成り、この縦リブに、該縦リブの上端から下端に向かうに従って処理液タンク１の内方側に傾斜するガイド面７１を形成している。
【００１４】
また前記係合部６は、案内部７を構成する縦リブの下端と交差して水平方向に延びる横リブから形成され、該横リブの下面を、前記ロック体４の一端が係合する係合部６としているのであって、図に示す実施形態では、係合部６を構成する横リブの両端にそれぞれ補強壁６１を一体形成している。以上のラックの固定構造にあっては、ラック２を処理液タンク１内に収納するに伴い、図４に示すように、収納室２１から突出しているロック体４の先端が、案内部７のガイド面７１に当接し、該ガイド面７１の案内で、ロック体４がコイルスプリング５のばね反力に抗して収納室２１内に退入するのであって、斯くして図１に示すように、ラック２が処理液タンク１内の所定位置まで完全に収納された時点で、ロック体４がガイド面７１から離脱してコイルスプリング５のばね反力により図１左方向に移動して、その一端部が前記係合部６に直ちに係合し、これにより、ラック２が処理液タンク１内の所定位置で確実に固定されるのである。
【００１５】
一方、例えば自動現像機の保守点検に際して任意のラック２を処理液タンク１内から取り出したい場合には、操作部４１を把手３側（図１において右方向）に引き寄せることにより、ロック体４をコイルスプリング５に抗して図１右方向に移動させて、ロック体４と係合部６との係合を解除した上で、把手３を持ち上げることにより、ラック２を処理液タンク１内から取り出せばよいのである。
【００１６】
斯くして以上の実施形態では前記操作部４１が把手３に隣接して設けられていることから、把手３を持つ手で前記操作部４１をも容易に操作することが出来、処理液タンク１内からのラック２の取り出し作業が容易に行えるし、また操作部４１の操作により、所定のラックと処理液タンクとの固定のみが解除されるだけであって、その他のラック２と処理液タンク１との固定が不用意に解除されるようなことがない。
【００１７】
以上の実施形態では、ロック体４をラック２の一側にのみ設けたが、図６及び図７に示すように、ラック２の両側にそれぞれロック体４０ａ・４０ｂを設けるようにしてもよく、次にその実施形態を説明する。
（実施形態２）図６及び図７に示す実施形態において、ラック２の上端両側部に支持アーム２３ａ・２３ｂを突設して、これら支持アーム２３ａ・２３ｂの遊端部には、操作部４１０を備えた第１及び第２ロック体４０ａ・４０ｂを、枢軸４１１を介して揺動自由に支持すると共に、各ロック体４０ａ・４０ｂの下端には後記する係合部６０ａ・６０ｂに係合可能な爪４１２を一体形成している。
【００１８】
そして、各ロック体４０ａ・４０ｂと支持アーム２３ａ・２３ｂとの間には板バネ５０を介装して、該板バネ５０のばね反力により、各ロック体４０ａ・４０ｂを、その爪４１２が各係合部６０ａ・６０ｂと係合する方向に揺動付勢させている。一方、処理液タンク１の左右内側面には、内方に突出するブロック状の突起８０を一体形成して、該突起８０の下面を各ロック体４０ａ・４０ｂの爪４１２が係合する係合部６０ａ・６０ｂとすると共に、各ロック体４０ａ・４０ｂの爪４１２の端縁には、前記突起８０との当接に伴い、各ロック体４０ａ・４０ｂを板バネ５０に抗して揺動させてその爪４１２を各係合部６０ａ・６０ｂに係合させるための案内部７０を形成している。
【００１９】
またラック２の左右に設ける以上の第１及び第２ロック体４０は、連動部材としてのリンク９により連動連結しているのであって、具体的には、リンク９の長さ方向一端部を、第１ロック体４０ａにおける操作部４１０の一端に、またリンク９の長さ方向他端部を、第２ロック体４０ｂにおける爪４１２の一端にそれぞれ連結ピン９１を介して枢着し、一方のロック体４０ａまたは４０ｂの操作部４１０の操作、例えば図７に示すように、第１ロック体４０ａの操作部４１０の操作により、該第１ロック体４０ａを係合部６０ａから離脱する方向に揺動させるに伴い、リンク９を介して第２ロック体４０ｂも係合部６０ｂから離脱する方向に揺動させるようにしている。
【００２０】
斯くして以上のラックの固定構造にあっては、ラック２を処理液タンク１内に収納するに伴い、各ロック体４０ａ・４０ｂの爪４１２に形成した案内部７０が、処理液タンク１の内側面に突設した突起８０に当接して、該案内部７０の案内により、各ロック体４０ａ・４０ｂが、板バネ５０のばね反力に抗しながらこれらロック体４０ａ・４０ｂの爪４１２が前記係合部６０ａ・６０ｂから離間する方向に揺動するのであって、ラック２が処理液タンク１内の所定位置まで完全に収納された時点で、板バネ５０のばね反力により、各ロック体４０ａ・４０ｂが前記とは逆方向に揺動して、その爪４１２が各係合部６０ａ・６０ｂに直ちに係合し、これによりラック２の左右両側部が処理液タンク１の左右内側面に固定されるのである。
【００２１】
一方、自動現像機の保守点検に際してラック２を処理液タンク１内から取り出したい場合には、図７に示すように、左右のロック体４０ａ・４０ｂの何れか一方、例えば第１ロック体４０ａの操作部４１０を図７において矢印Ｗ方向に押し込めば、該第１ロック体４０ａの爪４１２が係合部６０ａから離脱すると同時に、第２ロック体４０ｂもリンク９を介して図７において時計方向に揺動して、該第２ロック体４０ｂの爪４１２も係合部６０ｂから離脱するのであって、従って、かかる状態から把手３を持ち上げるだけで、ラック２を処理液タンク１内から即座に取り出すことが出来るのである。
【００２２】
斯くして以上の実施形態では、両ロック体４０ａ・４０ｂの操作部４１０をそれぞれ操作せずとも、何れか一方の操作部４１０のみを操作するだけで両ロック体４０ａ・４０ｂのロックを同時に解除することが出来る。以上の実施形態では、ロック体４０ａ・４０ｂの爪４１２に案内部７０を設けたが、係合部６０ａ・６０ｂを構成する突起８０に案内部７０を設けてもよい。
【００２３】
また以上の実施形態では、第１及び第２ロック体４０をリンク９により連動連結したが、これに限定されるものではなく、例えば操作ワイヤを用いてもよい。
【００２４】
【発明の効果】
以上のごとく請求項１記載の発明によれば、処理液タンクに係合部を設け、ラックには前記係合部に係合して処理液タンク内からのラックの離脱を阻止するロック体を設け、このロック体を、前記係合部に係合する位置と該係合部から離脱する位置とに位置変更可能とすると共に、該ロック体を付勢手段を介して前記係合部と係合する方向に付勢させ、またラックの上端部に把手を設けると共に、前記ラックの上端部で且つ把手の近傍に、前記付勢手段の付勢力に抗して前記ロック体の係合部への係合を解除するための操作部を設け、ロック体と前記係合部の少なくとも一方に、ラックの処理液タンク内への収納時、ロック体を係合部から離脱する方向に位置変更させてロック体の係合部への係合を案内する案内部を設けたことにより、ラックを処理液タンク内に収納するだけで、ロック体が係合部に自動的に係合して、ラックを処理液タンク内の所定位置に直ちに固定することが出来るのは勿論のこと、例えば自動現像機の保守点検時に任意のラックを処理液タンク内から取り出す場合、ロック体と係合部との係合を解除するに際して、把手を持った手で前記操作部を操作することが出来、全体として処理液タンクに対するラックの固定作業及び処理液タンク内からのラックの取り出し作業が迅速且つ容易に行うことが出来る。
【００２５】
また請求項１記載の発明によれば、操作部の操作により、所定のラックと処理液タンクとの固定のみを解除することが出来て、従来のようにその他のラックと処理液タンクとの固定が不用意に解除されるようなことがなく、従って従来のように、処理液タンク内の全てのラックの固定が解除されて各ラックが不用意に浮き上がるような不具合がない。
【００２６】
請求項２記載の発明によれば、請求項１に記載の発明において、処理液タンクに一対の係合部を設けると共に、ラックには前記各係合部に対応する一対のロック体を設けて、これらロック体を連動部材を介して連動させたことにより、両ロック体を介してラックの左右両側部が処理液タンクの左右内側面に固定されるので、該ラックの処理液タンク内に対する所定位置での固定がより一層確実に行えながら、しかもラックを処理液タンク１内から取り出したい場合には、左右のロック体の何れか一方の操作部のみを操作するだけで、直ちに両ロック体のロックを同時に解除することが出来て、ラックを処理液タンク内から即座に取り出すことが出来る。
【図面の簡単な説明】
【図１】本発明にかかるラックの固定構造の一実施形態を示す要部の一部切欠側面図。
【図２】図１におけるＸ−Ｘ線拡大断面図。
【図３】処理液タンクの要部を拡大して示す斜視図。
【図４】ラックを処理液タンク内に収納する途中の状態を一部切欠いて示す要部の拡大側面図。
【図５】本発明を適用する自動現像機の概略説明図。
【図６】本発明にかかるラックの固定構造の別の実施形態を示す要部の一部切欠側面図。
【図７】同、別の実施形態においてロック体のロックを解除した状態を示す要部の一部切欠側面図。
【符号の説明】
１ 処理液タンク
２ ラック
３ 把手
４・４０ａ・４０ｂ ロック体
５ コイルスプリング（付勢手段）
５０ａ・５０ｂ 板バネ（付勢手段）
６・６０ａ・６０ｂ 係合部
７・７０ 案内部
９ リンク（連動部材）
【図１】
0003613939.tif 000002
【図２】
0003613939.tif 000003
【図３】
0003613939.tif 000004
【図４】
0003613939.tif 000005
【図５】
0003613939.tif 000006
【図６】
0003613939.tif 000007
【図７】
0003613939.tif 000008